【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
ポリマー組成物であって、
少なくとも２種のポリエチレンポリマー、及び
無機粒状物と、前記無機粒状物の表面上の表面処理剤とを含む機能性フィラー
を含み、
前記少なくとも２種のポリエチレンポリマーが前記機能性フィラーにより結合されており、
前記少なくとも２種のポリエチレンポリマーの第１のものがＨＤＰＥを含み、
前記少なくとも２種のポリエチレンポリマーの第２のものが、ＨＤＰＥを含み、前記第２のポリエチレンポリマーのＨＤＰＥが、前記第１のポリエチレンポリマーのＨＤＰＥとは異なる、前記ポリマー組成物。
【請求項２】
前記ポリエチレンポリマーが、再生ポリマー、例えば、再生消費後ポリマー廃棄物である、請求項１に記載のポリマー組成物。
【請求項３】
（ｉ）６０ｋＪ／ｍ2より大きい−２０℃におけるレジリエンス、および／または（ｉｉ）３２％より大きい破断伸び、および／または（ｉｉｉ）８００ＭＰａより大きい曲げ弾性率を有する、請求項１または２に記載のポリマー組成物。
【請求項４】
前記少なくとも２種のポリエチレンポリマーの第１のものが、０．７５ｇ／１０分未満の１９０℃／２．１６ｋｇにおけるＭＦＲを有しており、前記少なくとも２種のポリエチレンポリマーの第２のものが、０．７５ｇ／１０分以上の１９０℃／２．１６ｋｇにおけるＭＦＲを有してもよい、請求項１〜３のいずれか１項に記載のポリマー組成物。
【請求項５】
ポリプロピレンをさらに含み、ポリプロピレンが再生ポリプロピレンであってもよい、請求項１〜４のいずれか１項に記載のポリマー組成物。
【請求項６】
前記無機粒状物が、アルカリ土類金属の炭酸塩もしくは硫酸塩、例えば炭酸カルシウム、炭酸マグネシウム、ドロマイト、石膏、含水カンダイト粘土、例えばカオリン、ハロイサイトもしくはボールクレイ、無水（焼成された）カンダイト粘土、例えばメタカオリンもしくは完全に焼成されたカオリン、タルク、マイカ、パーライトもしくは珪藻土、または水酸化マグネシウム、またはアルミニウム三水和物、またはこれらの組合せであり、前記無機粒状物が、炭酸カルシウム、例えば粉砕炭酸カルシウム、を含んでもよくまたはであってもよく、前記ポリマー組成物が、表面処理剤で処理されていない第２のフィラーをさらに含んでもよく、前記第２のフィラーがタルクでもよい、請求項１〜５のいずれか１項に記載のポリマー組成物。
【請求項７】
前記表面処理剤が、１または２個の隣接するカルボニル基を有する、末端プロパン酸基またはエチレン基を含む第１の化合物を含み、前記第１の化合物が、式（１）：
Ａ−（Ｘ−Ｙ−ＣＯ）m（Ｏ−Ｂ−ＣＯ）nＯＨ              （１）
を有してもよく、
式中、
Ａは、１または２個の隣接カルボニル基を有する、末端エチレン系結合を含む部分であり；
ＸはＯでありかつｍは１〜４であるか、またはＸはＮでありかつｍは１であり；
Ｙは、Ｃ1-18アルキレンまたはＣ2-18アルケニレンであり；
Ｂは、Ｃ2-6アルキレンであり；ｎは、０〜５であり；
但し、Ａがエチレン基に隣接する２個のカルボニル基を含む場合、ＸはＮである、
請求項１〜６のいずれか１項に記載のポリマー組成物。
【請求項８】
前記機能性フィラーが、前記ポリマー組成物の約５〜約２５質量％の範囲の量で存在する、請求項１〜７のいずれか１項に記載のポリマー組成物。
【請求項９】
第１のポリエチレンポリマーのＨＤＰＥが、前記ポリマー組成物の約１０〜約７５質量％の範囲の量で存在する、請求項１〜８のいずれか１項に記載のポリマー組成物。
【請求項１０】
請求項１〜９のいずれか１項に記載のポリマー組成物から形成された製品。
【請求項１１】
パイプである、請求項１０に記載の製品。
【請求項１２】
請求項１〜９のいずれか１項に記載のポリマー組成物の、該組成物から形成される製品の機械的特性を改善するための使用。
【請求項１３】
前記少なくとも２種のポリエチレンポリマーを前記機能性フィラーと混ぜ合わせることを含む、請求項１〜９のいずれか１項に記載のポリマー組成物を製造する方法。
【請求項１４】
（ｉ）前記少なくとも２種のポリエチレンポリマーが、それぞれ別々のポリマー流に含まれるか、または（ｉｉ）前記少なくとも２種のポリエチレンポリマーが、同じポリマー流の一部である、請求項１３に記載の方法。
【請求項１５】
少なくとも１つの壁を有するパイプであって、該パイプが、少なくとも約４００ｍｍの公称内径と、少なくとも約４のＳＮとを有し、前記少なくとも１つの壁が、該少なくとも１つの壁の全質量に基づいて、少なくとも約２５質量％の再生ポリマーを含み、請求項１〜９のいずれか１項に記載のポリマー組成物から形成された、前記パイプ。
【請求項１６】
前記公称内径が、少なくとも約５００ｍｍ、例えば、少なくとも約６００ｍｍである、請求項１５に記載のパイプ。
【請求項１７】
少なくとも約６、例えば、少なくとも約８のＳＮを有する、請求項１５または１６に記載のパイプ。
【請求項１８】
二重壁パイプである、請求項１５〜１７のいずれか１項に記載のパイプ。
【請求項１９】
コルゲート二重壁パイプであり、前記少なくとも壁が、該パイプの外壁である、請求項１５〜１８のいずれか１項に記載のパイプ。
【請求項２０】
前記少なくとも１つの壁が、衝撃改質剤、例えば、最大約１０質量％の衝撃改質剤を含む、請求項１５〜１９のいずれか１項に記載のパイプ。
【請求項２１】
前記衝撃改質剤が、エラストマーまたはスチレンとブタジエンとの共重合体である、請求項２０に記載のパイプ。
【請求項２２】
前記エラストマーがポリオレフィンエラストマーであり、前記ポリオレフィンエラストマーが、エチレンと、別のオレフィン、例えば、オクタン、および／またはブテンおよび／またはスチレンとの共重合体、例えば、エチレンとオクテンとの共重合体である、請求項２１に記載のパイプ。
【請求項２３】
前記ポリオレフィンエラストマーが、約０．８０〜約０．９５ｇ／ｃｍ3の密度、および／または０．２ｇ／１０分（１９０℃にて２．１６ｋｇ）〜約３０ｇ／１０分（１９０℃にて２．１６ｋｇ）、例えば、約０．５ｇ／１０分（１９０℃にて２．１６ｋｇ）〜約１．５ｇ／１０分（１９０℃にて２．１６ｋｇ）のＭＦＲを有する、請求項２２に記載のパイプ。
【手続補正２】
【補正対象書類名】明細書
【補正対象項目名】０１３１
【補正方法】変更
【補正の内容】
【０１３１】
結果を以下の表１にまとめる。
【表１】
2017534699.tif 000001
本発明のまた別の態様は、以下のとおりであってもよい。
〔１〕ポリマー組成物であって、
少なくとも２種のポリエチレンポリマー、及び
無機粒状物と、前記無機粒状物の表面上の表面処理剤とを含む機能性フィラー
を含み、
前記少なくとも２種のポリエチレンポリマーが結合されており、
前記少なくとも２種のポリエチレンポリマーの第１のものがＨＤＰＥを含む、前記ポリマー組成物。
〔２〕前記ポリエチレンポリマーが、再生ポリマー、例えば、再生消費後ポリマー廃棄物である、前記〔１〕に記載のポリマー組成物。
〔３〕（ｉ）６０ｋＪ／ｍ2より大きい−２０℃におけるレジリエンス、および／または（ｉｉ）３２％より大きい破断伸び、および／または（ｉｉｉ）８００ＭＰａより大きい曲げ弾性率を有する、前記〔１〕または〔２〕に記載のポリマー組成物。
〔４〕前記少なくとも２種のポリエチレンポリマーの第２のものが、ＨＤＰＥを含み、前記第２のポリエチレンポリマーのＨＤＰＥが、前記第１のポリエチレンポリマーのＨＤＰＥとは異なる、前記〔１〕〜〔３〕のいずれか１項に記載のポリマー組成物。
〔５〕前記少なくとも２種のポリエチレンポリマーの第１のものが、０．７５ｇ／１０分未満の１９０℃／２．１６ｋｇにおけるＭＦＲを有しており、前記少なくとも２種のポリエチレンポリマーの第２のものが、０．７５ｇ／１０分以上の１９０℃／２．１６ｋｇにおけるＭＦＲを有してもよい、前記〔１〕〜〔４〕のいずれか１項に記載のポリマー組成物。
〔６〕ポリプロピレンをさらに含み、ポリプロピレンが再生ポリプロピレンであってもよい、前記〔１〕〜〔５〕のいずれか１項に記載のポリマー組成物。
〔７〕前記無機粒状物が、アルカリ土類金属の炭酸塩もしくは硫酸塩、例えば炭酸カルシウム、炭酸マグネシウム、ドロマイト、石膏、含水カンダイト粘土、例えばカオリン、ハロイサイトもしくはボールクレイ、無水（焼成された）カンダイト粘土、例えばメタカオリンもしくは完全に焼成されたカオリン、タルク、マイカ、パーライトもしくは珪藻土、または水酸化マグネシウム、またはアルミニウム三水和物、またはこれらの組合せであり、前記無機粒状物が、炭酸カルシウム、例えば粉砕炭酸カルシウム、を含んでもよくまたはであってもよく、前記ポリマー組成物が、表面処理剤で処理されていない第２のフィラーをさらに含んでもよく、前記第２のフィラーがタルクでもよい、前記〔１〕〜〔６〕のいずれか１項に記載のポリマー組成物。
〔８〕前記表面処理剤が、１または２個の隣接するカルボニル基を有する、末端プロパン酸基またはエチレン基を含む第１の化合物を含み、前記第１の化合物が、式（１）：
Ａ−（Ｘ−Ｙ−ＣＯ）m（Ｏ−Ｂ−ＣＯ）nＯＨ              （１）
を有してもよく、
式中、
Ａは、１または２個の隣接カルボニル基を有する、末端エチレン系結合を含む部分であり；
ＸはＯでありかつｍは１〜４であるか、またはＸはＮでありかつｍは１であり；
Ｙは、Ｃ1-18アルキレンまたはＣ2-18アルケニレンであり；
Ｂは、Ｃ2-6アルキレンであり；ｎは、０〜５であり；
但し、Ａがエチレン基に隣接する２個のカルボニル基を含む場合、ＸはＮである、
前記〔１〕〜〔７〕のいずれか１項に記載のポリマー組成物。
〔９〕前記機能性フィラーが、前記ポリマー組成物の約５〜約２５質量％の範囲の量で存在する、前記〔１〕〜〔８〕のいずれか１項に記載のポリマー組成物。
〔１０〕第１のポリエチレンポリマーのＨＤＰＥが、前記ポリマー組成物の約１０〜約７５質量％の範囲の量で存在する、前記〔１〕〜〔９〕のいずれか１項に記載のポリマー組成物。
〔１１〕製品の製造の際のポリマー成分のブレンドを軽減する方法であって、（ｉ）少なくとも２種類のＨＤＰＥと、表面に表面処理剤を有する無機粒状物を含む機能性フィラーとを含む、前もって形成されたポリマー組成物を準備することと、（ｉｉ）それから製品を形成することと、を含む、方法。
〔１２〕例えば、パイプである、前記〔１〕〜〔１０〕のいずれか１項に記載のポリマー組成物から形成された製品。
〔１３〕前記〔１〕〜〔１０〕のいずれか１項に記載のポリマー組成物の、該組成物から形成される製品の機械的特性を改善するための使用。
〔１４〕前記少なくとも２種のポリエチレンポリマーを前記機能性フィラーと混ぜ合わせることを含む、前記〔１〕〜〔１０〕のいずれか１項に記載のポリマー組成物を製造する方法。
〔１５〕（ｉ）前記少なくとも２種のポリエチレンポリマーが、それぞれ別々のポリマー流に含まれるか、または（ｉｉ）前記少なくとも２種のポリエチレンポリマーが、同じポリマー流の一部である、前記〔１４〕に記載の方法。
〔１６〕少なくとも１つの壁を有するパイプであって、該パイプが、少なくとも約４００ｍｍの公称内径と、少なくとも約４のＳＮとを有し、前記少なくとも１つの壁が、該少なくとも１つの壁の全質量に基づいて、少なくとも約２５質量％の再生ポリマーを含む、前記パイプ。
〔１７〕前記公称内径が、少なくとも約５００ｍｍ、例えば、少なくとも約６００ｍｍである、前記〔１６〕に記載のパイプ。
〔１８〕少なくとも約６、例えば、少なくとも約８のＳＮを有する、前記〔１６〕または〔１７〕に記載のパイプ。
〔１９〕規格ＢＳ  ＥＮ  １３４７６−３：２００７＋Ａ１：２００９の要件を、前記規格が非加圧地下排水および下水用のパイプに関するものである限りにおいて満たす、前記〔１６〕に記載のパイプ。
〔２０〕一重壁または二重壁パイプである、前記〔１６〕〜〔１９〕のいずれか１項に記載のパイプ。
〔２１〕コルゲートパイプである、前記〔１６〕〜〔２０〕のいずれか１項に記載のパイプ。
〔２２〕パイプが、二重壁パイプ、例えば、コルゲート二重壁パイプであり、前記少なくとも壁が、パイプの外壁である、前記〔１６〕〜〔２１〕のいずれか１項に記載のパイプ。
〔２３〕前記少なくとも１つの壁が、少なくとも約５０質量％の再生ポリマー、例えば、少なくとも約７０質量％の再生ポリマーを含む、前記〔１６〕〜〔２２〕のいずれか１項に記載のパイプ。
〔２４〕前記少なくとも１つの壁が、最大約７５質量％の再生ポリマー、例えば、最大約８５質量％の再生ポリマーを含む、前記〔１６〕〜〔２３〕のいずれか１項に記載のパイプ。
〔２５〕前記再生ポリマーが、異なるポリマー種の混合物、例えば、ポリエチレン（ＰＥ）とポリプロピレン（ＰＰ）との混合物、例えば、ＨＤＰＥとＰＰの混合物、またはＨＤＰＥ、ＰＰおよび低密度ポリエチレン（ＬＤＰＥ）の混合物、あるいは少なくとも２種の異なる種類のＨＤＰＥとＰＰとの混合物、例えば、ブロー成形ボトル由来のＨＤＰＥ、ブロー成形ボトル以外の源由来のＨＤＰＥ、およびＰＰの混合物を含むか、またはこれらである、前記〔１６〕〜〔２４〕のいずれか１項に記載のパイプ。
〔２６〕前記再生ポリマーが、無機粒状材料に、無機粒状物（機能性フィラーとも称される）の表面上の表面処理剤を介して結合されてもよい、少なくとも２種のポリエチレンポリマーの混合物を含み、前記少なくとも２種のポリエチレンポリマーの第１のものが、ＨＤＰＥを含むか、またはＨＤＰＥであり、前記少なくとも２種のポリエチレンポリマーの第２のものが、ＨＤＰＥであってもよく、またはＨＤＰＥを含んでもよく、前記第２のポリエチレンポリマーのＨＤＰＥが、前記第１のポリエチレンポリマーのＨＤＰＥとは異なる、前記〔２５〕に記載のパイプ。
〔２７〕前記少なくとも２種のポリエチレンポリマーの第１のものが、０．７５ｇ／１０分未満（１９０℃にて２．１６ｋｇ）のＭＦＲを有しており、前記少なくとも２種のポリエチレンポリマーの第２のものが、０．７５ｇ／１０分以上（１９０℃にて２．１６ｋｇ）のＭＦＲを有してもよい、前記〔２６〕に記載のパイプ。
〔２８〕再生ポリプロピレンをさらに含む、前記〔２６〕または〔２７〕に記載のパイプ。
〔２９〕前記少なくとも１つの壁が、無機粒状物を含む機能性フィラーを含み、前記無機粒状物の表面上の表面処理剤を含んでもよく、これによって、前記再生ポリマーが、前記表面処理剤を介して無機粒状材料に結合される、前記〔１６〕〜〔２８〕のいずれか１項に記載のパイプ。
〔３０〕前記無機粒状物が、アルカリ土類金属の炭酸塩もしくは硫酸塩、例えば炭酸カルシウム、炭酸マグネシウム、ドロマイト、石膏、含水カンダイト粘土、例えばカオリン、ハロイサイトもしくはボールクレイ、無水（焼成された）カンダイト粘土、例えばメタカオリンもしくは完全に焼成されたカオリン、タルク、マイカ、パーライトもしくは珪藻土、または水酸化マグネシウム、またはアルミニウム三水和物、またはこれらの組合せであり、前記無機粒状物が、炭酸カルシウム、例えば粉砕炭酸カルシウム、を含んでもよくまたはであってもよく、前記パイプが、表面処理剤で処理されていない第２のフィラーをさらに含んでもよく、前記第２のフィラーがタルクでもよい、前記〔２６〕〜〔２９〕のいずれか１項に記載のパイプ。
〔３１〕前記表面処理剤が、１または２個の隣接するカルボニル基を有する、末端プロパン酸基またはエチレン基を含む第１の化合物を含み、前記第１の化合物が、式（１）：
Ａ−（Ｘ−Ｙ−ＣＯ）m（Ｏ−Ｂ−ＣＯ）nＯＨ              （１）
を有してもよく、
式中、
Ａは、１または２個の隣接カルボニル基を有する、末端エチレン系結合を含む部分であり；
ＸはＯでありかつｍは１〜４であるか、またはＸはＮでありかつｍは１であり；
Ｙは、Ｃ1-18アルキレンまたはＣ2-18アルケニレンであり；
Ｂは、Ｃ2-6アルキレンであり；ｎは、０〜５であり；
但し、Ａがエチレン基に隣接する２個のカルボニル基を含む場合、ＸはＮである、
前記〔２６〕〜〔３０〕のいずれか１項に記載のパイプ。
〔３２〕前記機能性フィラーが、前記再生ポリマーの全質量に基づいて、約５質量％〜約２５質量％、例えば、約５質量％〜約１５質量％の範囲の量で存在する、前記〔２６〕〜〔３１〕のいずれか１項に記載のパイプ。
〔３３〕前記第１のポリエチレンポリマーのＨＤＰＥが、前記再生ポリマーの約１０〜約７５質量％の範囲の量で存在する、前記〔１６〕〜〔３２〕のいずれか１項に記載のパイプ。
〔３４〕前記少なくとも１つの壁が、衝撃改質剤、例えば、最大約１０質量％の衝撃改質剤を含む、前記〔１６〕〜〔３３〕のいずれか１項に記載のパイプ。
〔３５〕前記衝撃改質剤が、エラストマー、例えば、ポリオレフィンエラストマーである、前記〔３４〕に記載のパイプ。
〔３６〕前記ポリオレフィンエラストマーが、エチレンと、別のオレフィン、例えば、オクタン、および／またはブテンおよび／またはスチレンとの共重合体、例えば、エチレンとオクテンとの共重合体である、前記〔３５〕に記載のパイプ。
〔３７〕前記衝撃改質剤が、スチレンとブタジエンとの共重合体である、前記〔３４〕に記載のパイプ。
〔３８〕前記ポリオレフィンエラストマーが、約０．８０〜約０．９５ｇ／ｃｍ3の密度、および／または０．２ｇ／１０分（１９０℃にて２．１６ｋｇ）〜約３０ｇ／１０分（１９０℃にて２．１６ｋｇ）、例えば、約０．５ｇ／１０分（１９０℃にて２．１６ｋｇ）〜約１．５ｇ／１０分（１９０℃にて２．１６ｋｇ）のＭＦＲを有する、前記〔３４〕または〔３５〕に記載のパイプ。
〔３９〕適切な量の再生ポリマーおよび機能性フィラーを含み、衝撃改質剤を含んでもよい配合ポリマー樹脂であって、前記機能性フィラーが、無機粒状物と該機能性フィラーの表面上の表面処理剤とを含む配合ポリマー樹脂から、前記少なくとも１つの壁が形成、例えば押出成形されている、前記〔１６〕〜〔３８〕のいずれか１項に記載のパイプ。
〔４０〕再生ポリマーの量および／または組成が、前記〔１６〕〜〔４０〕のいずれか１項に記載のパイプを製造するために選択される、前記〔３９〕に記載のパイプ。
〔４１〕少なくとも約４００ｍｍの公称内径と少なくとも約４のＳＮとを有するパイプにおいて、未使用のポリマー、例えば未使用のポリプロピレンを少なくとも部分的に、任意に全体的に置き換えるための、結合されておりかつ前記〔１６〕〜〔４０〕のいずれか１項において定義されたとおりの再生ポリマーの使用。
〔４２〕少なくとも約４００ｍｍの公称内径と少なくとも約４のＳＮとを有するパイプにおいて、結合されていない再生ポリマー、例えば、消費後ポリマー廃棄物、例えばブロー成形ボトル、由来の非結合再生ＨＤＰＥポリマーを少なくとも部分的に、任意に全体的に置き換えるための、結合されておりかつ前記〔１６〕〜〔４０〕のいずれか１項において定義されたとおりの再生ポリマーの使用。
〔４３〕少なくとも約４００ｍｍの公称内径と少なくとも約４のＳＮとを有するパイプにおいて、結合されていない再生ポリマーおよび未使用のポリプロピレン、例えば、消費後ポリマー廃棄物、例えばブロー成形ボトル、由来の非結合再生ＨＤＰＥポリマーを少なくとも部分的に、任意に全体的に置き換えるための、結合されておりかつ前記〔１６〕〜〔４０〕のいずれか１項において定義されたとおりの再生ポリマーの使用。